(57)【特許請求の範囲】
【請求項１】
吸気口を有した箱形状の本体ケースと、前記本体ケース内に設けたファンと、このファンの吹き出し空気を加熱するヒータ部と、このヒータ部によって加熱された空気の送風路であるホースと、前記本体ケースに設けた操作部とを備え、前記操作部は、第１の方向における一方側には第１の操作モード選択ボタンを設け、前記第１の方向における他方側には第２の操作モード選択ボタンを設け、前記第１の操作モード選択ボタンと前記第２の操作モード選択ボタンとの間に表示部を備え、前記表示部は、前記第１の操作モード選択ボタンによって設定した設定状態の表示と、前記第２の操作モード選択ボタンによって設定した設定状態の表示とを兼用し、前記表示部は、前記第１の方向に対して直角方向である第２の方向において３分割され、前記第２の方向における一方側には前記第１の操作モード選択ボタンの説明である第１の操作モード説明部分を設け、前記第２の方向における他方側には前記第２の操作モード選択ボタンの説明である第２の操作モード説明部分を備え、前記第１の操作モード説明部分と前記第２の操作モード説明部分との間には、前記第１の操作モード選択ボタンと前記第２の操作モード選択ボタンの設定状態の表示を兼用する設定表示部分を設けたことを特徴とするふとん乾燥機。
【請求項２】
前記第１の操作モード選択ボタンと前記第１の操作モード説明部分とを一体化し、前記第２の操作モード選択ボタンと前記第２の操作モード説明部分とを一体化したことを特徴とする請求項１に記載のふとん乾燥機。
【請求項３】
前記第１の操作モード選択ボタンと前記第１の操作モード説明部分とを同色にし、前記第２の操作モード選択ボタンと前記第２の操作モード説明部分とを同色にし、前記第１の操作モード選択ボタンと前記第２の操作モード選択ボタンを異なる色としたことを特徴とする請求項２に記載のふとん乾燥機。
【請求項４】
前記第１の操作モード説明部分の更に上段には、使用用途を表示する第１の使用用途表示を設け、前記第２の操作モード説明部分の更に下段には、使用用途を表示する第２の使用用途表示を設けたことを特徴とする請求項１から３のいずれかに記載のふとん乾燥機。
【請求項５】
前記表示部には、前記第１の操作モード選択ボタンの選択状態を表示する第１の選択状態点灯部と、前記第２の操作モード選択ボタンの選択状態を表示する第２の選択状態点灯部とを設け、前記第１の操作モード選択ボタンを押すと前記第１の選択状態点灯部が点灯し、前記第２の操作モード選択ボタンを押すと前記第２の選択状態点灯部が点灯することを特徴とする請求項１〜４に記載のふとん乾燥機。
【請求項６】
前記第１の操作モード選択ボタンと前記第１の操作モード説明部分との間に前記第１の選択状態点灯部を設け、前記第２の操作モード選択ボタンと前記第２の操作モード説明部分との間に前記第２の選択状態点灯部を設けたことを特徴とする請求項５に記載のふとん乾燥機。
【請求項７】
前記設定表示部分には、複数の設定表示点灯部分を設け、前記第１の操作モード選択ボタンを押すと前記第１の選択状態点灯部と前記設定表示点灯部分が点灯し、前記第２の操作モード選択ボタンを押すと前記第２の選択状態点灯部と前記設定表示点灯部分が点灯することを特徴とする請求項５または６に記載のふとん乾燥機。
【発明の詳細な説明】
【技術分野】
【０００１】
本発明は、ふとんやベットの乾燥や暖めに使用されるふとん乾燥機に関するものである。
【背景技術】
【０００２】
従来、この種のふとん乾燥機は、温風を乾燥マット等に供給してふとん等を乾燥するものが知られている（例えば、特許文献１参照）。
【０００３】
以下、そのふとん乾燥機について図１０から図１２を参照しながら説明する。
【０００４】
図１０示すように、本体１０１内にファン１０２とヒータ部１０３を配置し、ホース１０４を備えることにより温風を出す。また、吹出しノズル１０５を乾燥マット１０６に装着することで、図１１に示すように乾燥マット１０６の内部にふとんを設置しふとんを乾燥している。図１２に示すように、操作部１０７には操作モード選択ボタン１０８、設定ボタン１０９、状態表示部１１０を備えていた。
【先行技術文献】
【特許文献】
【０００５】
【特許文献１】特許第５５８１７９４号公報
【発明の概要】
【発明が解決しようとする課題】
【０００６】
このような従来のふとん乾燥機においては、操作モード選択ボタンおよび設定ボタンと、これらの操作モード選択ボタンと設定ボタンのそれぞれに対応した状態表示部が必要になるので、横長の上部部分に操作部を配置することが難しいという課題を有していた。
【０００７】
そこで本発明は、上記従来の課題を解決するものであり、横長の部分に操作部を配置することができるふとん乾燥機を提供することを目的とする。
【課題を解決するための手段】
【０００８】
そして、この目的を達成するために、本発明は、吸気口を有した箱形状の本体ケースと、前記本体ケース内に設けたファンと、このファンの吹き出し空気を加熱するヒータ部と、このヒータ部によって加熱された空気の送風路であるホースと、前記本体ケース上部に設けた操作部とを備え、前記操作部は、第１の方向における一方側には第１の操作モード選択ボタンを設け、前記第１の方向における他方側には第２の操作モード選択ボタンを設け、前記第１の操作モード選択ボタンと前記第２の操作モード選択ボタンとの間に表示部を備え、前記表示部は、前記第１の操作モード選択ボタンによって設定した設定状態の表示と、前記第２の操作モード選択ボタンによって設定した設定状態の表示とを兼用し、前記表示部は、前記第１の方向に対して直角方向である第２の方向において３分割され、前記第２の方向における一方側には前記第１の操作モード選択ボタンの説明である第１の操作モード説明部分を設け、前記第２の方向における他方側には前記第２の操作モード選択ボタンの説明である第２の操作モード説明部分を備え、前記第１の操作モード説明部分と前記第２の操作モード説明部分との間には、前記第１の操作モード選択ボタンと前記第２の操作モード選択ボタンの設定状態の表示を兼用する設定表示部分を設けたことを特徴とするものであり、これにより所期の目的を達成するものである。
【発明の効果】
【０００９】
本発明によれば、吸気口を有した箱形状の本体ケースと、前記本体ケース内に設けたファンと、このファンの吹き出し空気を加熱するヒータ部と、このヒータ部によって加熱された空気の送風路であるホースと、前記本体ケース上部に設けた操作部とを備え、前記操作部は、第１の方向における一方側には第１の操作モード選択ボタンを設け、前記第１の方向における他方側には第２の操作モード選択ボタンを設け、前記第１の操作モード選択ボタンと前記第２の操作モード選択ボタンとの間に表示部を備え、前記表示部は、前記第１の操作モード選択ボタンによって設定した設定状態の表示と、前記第２の操作モード選択ボタンによって設定した設定状態の表示とを兼用し、前記表示部は、前記第１の方向に対して直角方向である第２の方向において３分割され、前記第２の方向における一方側には前記第１の操作モード選択ボタンの説明である第１の操作モード説明部分を設け、前記第２の方向における他方側には前記第２の操作モード選択ボタンの説明である第２の操作モード説明部分を備え、前記第１の操作モード説明部分と前記第２の操作モード説明部分との間には、前記第１の操作モード選択ボタンと前記第２の操作モード選択ボタンの設定状態の表示を兼用する設定表示部分を設けたことを特徴とするものである。
【００１０】
これにより、横長の上部部分に操作部を配置することができ、省スペースで操作が分り易く、操作モード説明部分により目的に合致した設定を直感的に選択し易いという効果を奏する。
【図面の簡単な説明】
【００１１】
【図１】本発明の実施の形態のふとん乾燥機の斜視図
【図２】同ふとん乾燥機の概略断面図
【図３】同ふとん乾燥機の操作部を示す図
【図４】同ふとん乾燥機の操作部を示す図
【図５】同ふとん乾燥機の操作部を示す図
【図６】同ふとん乾燥機の操作部を示す図
【図７】同ふとん乾燥機の操作部を示す図
【図８】同ふとん乾燥機の操作部を示す図
【図９】同ふとん乾燥機の操作部を示す図
【図１０】従来のふとん乾燥機を示す図
【図１１】従来のふとん乾燥機のふとん乾燥運転状態を示す図
【図１２】従来のふとん乾燥機の操作部を示す正面図
【発明を実施するための形態】
【００１２】
本発明の請求項１記載のふとん乾燥機は、吸気口を有した箱形状の本体ケースと、前記本体ケース内に設けたファンと、このファンの吹き出し空気を加熱するヒータ部と、このヒータ部によって加熱された空気の送風路であるホースと、前記本体ケース上部に設けた操作部とを備え、前記操作部は、第１の方向における一方側には第１の操作モード選択ボタンを設け、前記第１の方向における他方側には第２の操作モード選択ボタンを設け、前記第１の操作モード選択ボタンと前記第２の操作モード選択ボタンとの間に表示部を備え、前記表示部は、前記第１の操作モード選択ボタンによって設定した設定状態の表示と、前記第２の操作モード選択ボタンによって設定した設定状態の表示とを兼用し、前記表示部は、前記第１の方向に対して直角方向である第２の方向において３分割され、前記第２の方向における一方側には前記第１の操作モード選択ボタンの説明である第１の操作モード説明部分を設け、前記第２の方向における他方側には前記第２の操作モード選択ボタンの説明である第２の操作モード説明部分を備え、前記第１の操作モード説明部分と前記第２の操作モード説明部分との間には、前記第１の操作モード選択ボタンと前記第２の操作モード選択ボタンの設定状態の表示を兼用する設定表示部分を設けた構成を有する。
【００１３】
これにより、横長の部分に操作部を配置することができ、操作部の省スペース化という効果を奏する。また、横長の部分に操作部を配置することができ、操作モード説明部分により目的に合致した設定を直感的に選択し易いという効果を奏する。
【００１６】
また、請求項２記載のふとん乾燥機は、前記第１の操作モード選択ボタンと前記第１の操作モード説明部分とを一体化し、前記第２の操作モード選択ボタンと前記第２の操作モード説明部分を備えた構成を有する。
【００１７】
これにより、横長の部分に操作部を配置することができ、操作モード説明部分と運転モードの関係がより明確になり目的に合致した設定を選択し易いという効果を奏する。
【００１８】
また、請求項３記載のふとん乾燥機は、前記第１の操作モード選択ボタンと前記第１の操作モード説明部分とを同色にし、前記第２の操作モード選択ボタンと前記第２の操作モード説明部分とを同色にし、前記第１の操作モード選択ボタンと前記第２の操作モード選択ボタンは異なる色を備えた構成を有する。
【００１９】
これにより、横長の部分に操作部を配置することができ、前記第１の操作モード選択ボタンと前記第２の操作モード選択ボタンが異なる色なので、ボタンの違いが明確になりボタンの押し間違いを減らすことが出来るという効果を奏する。
また、請求項４記載のふとん乾燥機は、前記第１の操作モード説明部分の更に上段には、使用用途を表示する第１の使用用途表示を設け、前記第２の操作モード説明部分の更に下段には、使用用途を表示する第２の使用用途表示を備えた構成を有する。
【００２０】
これにより、横長の部分に操作部を配置することができ、使用用途から目的に合致した設定を選択し易いという効果を奏する。
【００２１】
また、請求項５記載のふとん乾燥機は、前記表示部に前記第１の操作モード選択ボタンの選択状態を表示する第１の選択状態点灯部と、前記第２の操作モード選択ボタンの選択状態を表示する第２の選択状態点灯部とを備えた構成を有する。
【００２２】
これにより、横長の部分に操作部を配置することができ、設定した選択モードが分り易いという効果を奏する。
【００２３】
また、請求項６記載のふとん乾燥機は、前記第１の操作モード選択ボタンと前記第１の操作モード説明部分との間に前記第１の選択状態点灯部を設け、前記第２の操作モード選択ボタンと前記第２の操作モード説明部分との間に前記第２の選択状態点灯部を備えた構成を有する。
【００２４】
これにより、横長の部分に操作部を配置することができ、設定した選択モードと設定の状況の両方が一目で把握できるという効果を奏する。
【００２５】
また、請求項７記載のふとん乾燥機は、前記設定表示部分には、複数の設定表示点灯部分を設け、前記第１の操作モード選択ボタンを押すと前記第１の選択状態点灯部と前記設定表示点灯部分が点灯し、前記第２の操作モード選択ボタンを押すと前記第２の選択状態点灯部と前記設定表示点灯部分が点灯する構成を有する。
【００２６】
これにより、横長の部分に操作部を配置することができ、省スペースで操作が分り易いという効果を奏する。
【００２７】
以下、本発明の実施の形態について図面を参照しながら説明する。
【００２８】
（実施の形態１）
図１は、本発明の実施の形態のふとん乾燥機の斜視図である。図２は、本発明の実施の形態のふとん乾燥機の概略断面図である。図３は、本発明の実施の形態のふとん乾燥機の操作部を示す図である。図１、２、３は、本体ケースの前面側から見た図である。
【００２９】
本発明の実施の形態のふとん乾燥機は、図１、図２および図３に示すように、吸気口２を有した箱形状の本体ケース１と、本体ケース１内に設けた送風手段であるファン３と、このファン３の吹き出し空気を加熱するヒータ部４を備えている。
【００３０】
このヒータ部４によって加熱された空気の送風路であるホース５と、ホース５の先端には、吹出口１０を備えたノズル部１１と、本体ケース１上部に設けた操作部６とを備えている。
【００３１】
ふとん乾燥機の動作について説明する。操作部６によってふとん乾燥機を動作させると、ファン３によって、本体ケース１における吸気口２から吸い込んだ空気を、ヒータ部４へ送風し、ここで加熱される。この加熱された空気が、ホース５を介して、ノズル部１１に送風され、ノズル部１１の吹出口１０から吹き出る。
【００３２】
操作部６は、第１の操作モード選択ボタン７と、第２の操作モード選択ボタン８と、表示部９とを備えている。
【００３３】
操作部６は、第１の方向における一方側（図３の左右方向における右側）には第１の操作モード選択ボタン７を設け、第１の方向における他方側（図３の左右方向における左側）には第２の操作モード選択ボタン８を設けている。
【００３４】
第１の操作モード選択ボタン７と第２の操作モード選択ボタン８との間には、第１の方向（図３の左右方向）に長い表示部９を備えている。
【００３５】
表示部９は、第１の操作モード選択ボタン７によって設定した設定状態の表示と、第２の操作モード選択ボタン８によって設定した設定状態の表示とを兼用している。
【００３６】
第１の操作モード選択ボタン７は、本体ケース１上部に貼り付けられたメンブレンシート２０に印刷された文字と、この文字の下方に配置されたスイッチ（図示せず）とを備えている。
【００３７】
スイッチは、本体ケース１内の基板（図示せず）に装着されている。
【００３８】
メンブレンシート２０に印刷された文字を押すと、本体ケース１内の基板（図示せず）に装着されたスイッチ（図示せず）が押される。
【００３９】
このように、第１の操作モード選択ボタン７を押すと、表示部９に運転内容が表示され、この運転内容に応じて、制御部（図示せず）が、ファン３とヒータ部４を制御する。
【００４０】
第２の操作モード選択ボタン８は、本体ケース１上部に貼り付けられたメンブレンシート２０に印刷された文字と、この文字の下方に配置されたスイッチ（図示せず）とを備えている。
【００４１】
スイッチ（図示せず）は、本体ケース１内の基板に装着されている。
【００４２】
メンブレンシート２０に印刷された文字を押すと、本体ケース１内の基板に装着されたスイッチが押される。
【００４３】
このように、第２の操作モード選択ボタン８を押すと、表示部９に運転内容が表示され、この運転内容に応じて、制御部（図示せず）が、ファン３とヒータ部４を制御する。
【００４４】
表示部９は、本体ケース１上部に貼り付けられたメンブレンシート２０に印刷された複数の文字と、これらの文字の下方に配置されたＬＥＤ（図示せず）とを備えている。
【００４５】
本体ケース１内の基板に装着されたＬＥＤが点灯すると、ＬＥＤの上方のメンブレンシート２０に印刷された文字が、点灯したように見えるものである。
【００４６】
表示部９の文字には、時間が印刷されている。具体的には、「５」、「２０」、「４０」等である。
【００４７】
次にふとん乾燥機の操作について説明する。
【００４８】
ふとん乾燥機本体を運転させるために、電源コード（図示せず）を接続し、操作部６の第１の操作モード選択ボタン７もしくは、第２の操作モード選択ボタン８を１回押せば表示部９の左端の「５」のＬＥＤが点灯し、５分間の運転が設定され、運転が開始する。
【００４９】
更にもう一度、ボタンを押した場合、「５」から「２０」へＬＥＤの点灯が移動し、設定変更する。
【００５０】
同様に、ボタンを押す毎に「２０」→「４０」→「６０」→「８０」→「９０」→「１２０」→「５」→「２０」と周期的に設定が変化する。
【００５１】
運転継続している間は、表示部９は残りの運転時間の目安として機能する。
【００５２】
例えば、６０分設定で運転開始した場合に２０分運転経過後には、設定表示は「６０」→「４０」に移行する機能を有しており、残りの運転時間の目安を表示する。
【００５３】
運転停止する場合は、停止ボタン１２を押すことで運転停止する。
【００５４】
なお、国内向け商品としては、操作部６の第１の操作モード選択ボタン７を「冬（温風）」と表記し、第２の操作モード選択ボタン８を「夏」と表記する。
【００５５】
また、香港向け商品としては、操作部６の第１の操作モード選択ボタン７を「Ｍｏｄｅ」と表記し、第２の操作モード選択ボタン８を「Ｃｏｏｌ  ｄｏｗｎ」と表記する。
【００５６】
また、２色ＬＥＤを表示部９に使用することで、モード違いを表示することも可能。
【００５７】
本実施形態における特徴は、操作部６に、第１の方向における一方側には第１の操作モード選択ボタン７を設け、第１の方向における他方側には第２の操作モード選択ボタン８を設け、第１の操作モード選択ボタン７と第２の操作モード選択ボタン８との間に表示部９を備えている点である。
【００５８】
これにより、表示部９は、第１の操作モード選択ボタン７によって設定した設定状態の表示と、第２の操作モード選択ボタン８によって設定した設定状態の表示とを兼用したことで、操作部６の省スペース化が実現でき、横長の部分に操作部を配置することができる。
【００５９】
（実施の形態２）
図４において、図３と同様の構成については同一の符号を付し、その詳細な説明は省略する。実施の形態１と相違する点は、図４の表示部９Ａである。
【００６０】
図４に示すように、表示部９Ａは、第１の操作モード説明部分１３と、第２の操作モード説明部分１４と、設定表示部分１９とを備えている。
【００６１】
第１の操作モード説明部分１３と第２の操作モード説明部分１４との間に、第１の操作モード選択ボタン７と第２の操作モード選択ボタン８の設定状態の表示を兼用する設定表示部分１９を設けている。
【００６２】
具体的には、表示部９Ａを第１の方向（図４では左右方向）に対して直角方向である第２の方向（図４では上下方向）において３分割している。
【００６３】
第２の方向における一方側（図４では上下方向における上段）には、第１の操作モード選択ボタン７の説明である第１の操作モード説明部分１３（足もと、標準、しっかり、標準、しっかり、ダニ、衣類）を備えている。
【００６４】
第２の方向における他方側（図４では上下方向における下段）には、第２の操作モード選択ボタン８の説明である第２の操作モード説明部分１４（標準、しっかり）を備えている。
【００６５】
第１の操作モード説明部分１３と第２の操作モード説明部分１４との間（図４では上下方向における中段）には、第１の操作モード選択ボタン７と第２の操作モード選択ボタン８の設定状態の表示を兼用する設定表示部分１９を設けている。
【００６６】
設定表示部分１９の第２の方向における一方側（図４では上下方向における上段）には、第１の操作モード説明部分１３を設け、設定表示部分１９の第２の方向における他方側（図４では上下方向における下段）には、第２の操作モード説明部分１４を設けている。
【００６７】
これにより、第１の操作モード説明部分１３，第２の操作モード説明部分１４により目的に合致した設定を直感的に選択し易く、横長の部分に操作部６を配置することができる。
【００６８】
（実施の形態３）
図５において、図３と同様の構成については同一の符号を付し、その詳細な説明は省略する。実施の形態２と相違する点は、図５の表示部９Ｂである。
【００６９】
第１の操作モード選択ボタン７と第１の操作モード説明部分１３とを一体化し、第２の操作モード選択ボタン８と第２の操作モード説明部分１４とを一体化している。
【００７０】
具体的には、第１の操作モード選択ボタン７と第１の操作モード説明部分１３および、第２の操作モード選択ボタン８と第２の操作モード説明部分１４をそれぞれ枠線２１で囲うことで他と区別しつつ一体化し、視認性を向上させている。
【００７１】
これにより、第１の操作モード説明部分１３および第２の操作モード説明部分１４と運転モードの関係がより明確になり目的に合致した設定を選択し易く、横長の部分に操作部６を配置することができる。
【００７２】
（実施の形態４）
図６において、図３と同様の構成については同一の符号を付し、その詳細な説明は省略する。実施の形態３と相違する点は、図６の表示部９Ｃである。
【００７３】
図６に示すように、第１の操作モード選択ボタン７と第１の操作モード説明部分１３とを同色にし、第２の操作モード選択ボタン８と第２の操作モード説明部分１４とを同色にし、第１の操作モード選択ボタン７と第２の操作モード選択ボタン８は異なる色を備えた。これにより、第１の操作モード選択ボタン７と第２の操作モード選択ボタン８が異なる色なので、ボタンの違いがより明確になりボタンの押し間違いを減らすことができ、横長の部分に操作部を配置することができる。
【００７４】
（実施の形態５）
図７において、図３、図６と同様の構成については同一の符号を付し、その詳細な説明は省略する。実施の形態４と相違する点は、図７の第１の使用用途表示１５、第２の使用用途表示１６である。
【００７５】
図７に示すように、第１の操作モード説明部分１３の更に上段には、使用用途を表示する第１の使用用途表示１５（ふとん暖め、ふとん乾燥、乾燥）を設け、第２の操作モード説明部分１４の更に下段には、使用用途を表示する第２の使用用途表示１６（送風、ふとん乾燥）を備えたことで、使用用途から目的に合致した設定を選択し易く、横長の部分に操作部を配置することができる。
【００７６】
（実施の形態６）
図８において、図３、図６、図７と同様の構成については同一の符号を付し、その詳細な説明は省略する。実施の形態５と相違する点は、図８の第１の選択状態点灯部１７、第２の選択状態点灯部１８である。
【００７７】
図８に示すように、表示部９に第１の操作モード選択ボタン７の選択状態を表示する第１の選択状態点灯部１７と、第２の操作モード選択ボタン８の選択状態を表示する第２の選択状態点灯部１８とを備え、第１の操作モード選択ボタン７を押した際に、第１の選択状態点灯部１７が点灯して運転モードが設定され、運転開始したことを表示し、使用者に知らせる。同様に第２の操作モード選択ボタン８を押した際には、第２の選択状態点灯部１８が点灯する。具体的には、第１の選択状態点灯部１７を第１の操作モード選択ボタン７の隣に配置し、第２の選択状態点灯部１８を第２の操作モード選択ボタン８の隣に配置している。従って、設定した選択モードが分り易く、横長の部分に操作部を配置することができる。
【００７８】
（実施の形態７）
図９において、図３、図６、図７と同様の構成については同一の符号を付し、その詳細な説明は省略する。実施の形態６と相違する点は、図９の表示部９である。
【００７９】
図９に示すように、第１の操作モード選択ボタン７と第１の操作モード説明部分１３との間に第１の選択状態点灯部１７を設け、第１の操作モード選択ボタン７と第１の選択状態点灯部１７を一体化するために枠線で囲い、第２の操作モード選択ボタン８と第２の操作モード説明部分１４との間に第２の選択状態点灯部１８を設け、第２の操作モード選択ボタン８と第２の選択状態点灯部１８を一体化するために枠線で囲い連動性が分かるようにしている。また、設定表示部９Ｄには、複数の設定表示部分１９を設け、第１の操作モード選択ボタン７を押すと第１の選択状態点灯部１７と設定表示部分１９が同時に点灯し、第２の操作モード選択ボタン８を押すと第２の選択状態点灯部１８と設定表示部分１９が同時に点灯することで、設定した選択モードと設定の状況の両方が一目で把握でき、横長の部分に操作部を配置することができる。
【産業上の利用可能性】
【００８０】
本発明にかかるふとん乾燥機は、ふとんやベットの乾燥や暖めに使用されるふとん乾燥機等として有用である。
【符号の説明】
【００８１】
１    本体ケース
２    吸気口
３    ファン
４    ヒータ部
５    ホース
６    操作部
７    第１の操作モード選択ボタン
８    第２の操作モード選択ボタン
９    表示部
１０    吹出口
１１    ノズル部
１２    停止ボタン
１３    第１の操作モード説明部分
１４    第２の操作モード説明部分
１５    第１の使用用途表示
１６    第２の使用用途表示
１７    第１の選択状態点灯部
１８    第２の選択状態点灯部
１９    設定表示部分
２０    メンブレンシート
２１    枠線
【図１】
0006603870.tif 000002
【図２】
0006603870.tif 000003
【図３】
0006603870.tif 000004
【図４】
0006603870.tif 000005
【図５】
0006603870.tif 000006
【図６】
0006603870.tif 000007
【図７】
0006603870.tif 000008
【図８】
0006603870.tif 000009
【図９】
0006603870.tif 000010
【図１０】
0006603870.tif 000011
【図１１】
0006603870.tif 000012
【図１２】
0006603870.tif 000013